【事件の表示】
　上記当事者間の登録第４３９２４７７号商標の商標登録無効審判事件について、次のとおり審決する。
【結　論】
　登録第４３９２４７７号の登録を無効とする。
　審判費用は被請求人の負担とする。
【理　由】
１　本件商標
　本件登録第４３９２４７７号商標（以下「本件商標」という。）は、１９９８年７月２７日オーストリア共和国においてした商標登録に基づくパリ条約第４条による優先権を主張して、平成１０年１１月１８日登録出願、「ＲＩＰ　ＴＥＣＨ」の文字を標準文字とし、第２８類「ラケット，ラケットガット，ラケットケース，その他のテニス用具及びバドミントン用具，その他の運動用具」を指定商品として、同１２年６月１６日に設定登録されたものである。
　　
２　請求人の主張
　請求人は、結論同旨の審決を求め、その理由を要旨次のように述べ、証拠方法として、甲第１号証ないし同第４８号証（枝番号を含む。）を提出した。
（１）商標法第４条第１項第１０号について
（ア）請求人（「マービン　マニュファクチャリング　インコーポレイテッド」）は、商品「スノーボード」を取扱うアメリカ合衆国の法人であり、「Ｌｉｂ　Ｔｅｃｈ」、「リブテック」又は「ＬＩＢＴＥＣＨ」の文字よりなる未登録の標章（以下、これらをまとめて「請求人に係る引用商標」又は単に「引用商標」という。）を、その取扱いに係る商品「スノーボード」について、永年に亘り使用してきた結果、遅くとも、本件商標の出願の日（平成１０年１１月１８日）又は、その優先権主張に係る出願（オーストリア共和国）の日、いわゆる「優先日」（１９９８（平成１０）年７月２７日）より前の平成９年５月２８日以前には、請求人に係る引用商標は、同人の業務に係る商品「スノーボード」を表すものとして、我が国の取引者、需要者間に広く認識されていた（請求書３頁及び甲７号証ないし同第１５号証）。
（イ）異議事件における異議決定においても、（ア）の事実は認められている（甲２号証の２）。
　なお、異議事件における異議申立人「クイクシルバー　インコーポレイテッド」は、請求人と同一企業グループの会社である（請求書６頁）。
（ウ）本件商標からは、「リプテック」の称呼を生ずるのに対して、請求人に係る引用商標からは、いずれも「リブテック」の称呼を生ずるから、両商標は、称呼上類似する商標である。
　このことは、請求人の出願に係る商標（「ＬＩＢ　ＴＥＣＨ／リブテック」）が本件商標を引用して拒絶理由通知を受けた事実からも明らかである（請求書４頁及び７頁並びに甲３号証の２）。
（エ）請求人に係る引用商標を付した商品「スノーボード」は、「運動用具」の一種であるから、本件商標の指定商品「ラケット，ラケットガット，ラケットケース，その他のテニス用具及びバドミントン用具，その他の運動用具」と同一又は類似の商品である。
　以上のことから、本件商標は、商標法第４条第１項第１０号に違反して登録されたものであり、同法第４６条第１項の規定により、その登録を無効とすべきである。
（２）商標法第４条第１項第１５号について
　仮に、本件商標が商標法第４条第１項第１０号に違反しない場合であっても、請求人に係る引用商標は、永年に亘り商品「スノーボード」に使用されてきた結果、本件商標の出願日（優先日）前には、請求人の業務に係る商品「スノーボード」を表すものとして、我が国の取引者、需要者間に広く認識されていたから、本件商標の商標権者である被請求人が、我が国において、請求人に係る引用商標と称呼上紛らわしい本件商標をその指定商品に使用するときには、これに接する需要者は、請求人の業務に係る商品であるかの如く商品の出所について混同を生ずるおそれがある。
　以上のことから、本件商標は、たとえ、商標法第４条第１項第１０号に違反しない場合であっても、同法第４条第１項第１５号に違反して登録されたものというべきであるから、同法第４６条第１項の規定により、その登録を無効とすべきである。
　　　
３　被請求人の答弁
　被請求人は、本件審判の請求に対して、何ら答弁するところがない。
　　
４　当審の判断
（１）請求人に係る引用商標の著名性について
　請求人の提出に係る甲第７号証ないし甲第４８号証によれば、請求人は、商品「スノーボード」を取扱うアメリカ合衆国の法人であり、請求人に係る引用商標である「Ｌｉｂ　Ｔｅｃｈ」、「リブテック」又は「ＬＩＢＴＥＣＨ」を付した商品「スノーボード」は、１９９２（平成４）年４月頃より相当量のものが我が国にも多数輸出、販売されていたことを認めることができる。
　そして、その周知の状況については、例えば、商品「スノーボード」を紹介した雑誌「Ｓｎｏｗｉｎｇ」（甲第７号証：１９９２（平成４）年４月２４日発行，甲第８号証：１９９２（平成４）年９月６日発行，甲第９号証：１９９３（平成５）年８月６日発行，甲第１０号証：１９９４（平成６）年８月６日発行，甲第１１号証：１９９５（平成７）年８月６日発行，甲第１２号証：１９９６（平成８）年８月６日発行）の中に、請求人に係る引用商標を付した「スノーボード」に関する記事が断続的又は継続的にかなりの数掲載されており（甲第７号証ないし甲第１２号証）、それらの発行日も本件商標の出願日（又は優先日）より前のものであること等の点よりして充分窺えるところである。
　以上の事実に照らしてみれば、請求人に係る引用商標は、少なくとも、その業務に係る商品「スノーボード」について、本件商標の出願日前はもとより、その査定時においても、既に、我が国における商品「スノーボード」の取引者・需要者間において、広く認識されていたものというべきである。
　また、前記雑誌記事中には、「スノーボード」のほかにも、例えば、「スキー」、「スケート靴」、「サーフィンボード」、「スケートボード」等々の「運動用具」に関する広告記事等も掲載されていることよりすれば、本件商標の指定商品「ラケット，ラケットガット，ラケットケース，その他のテニス用具及びバドミントン用具，その他の運動用具」の分野全般においても、請求人に係る引用商標は、相当程度広く知られていたものとみて差し支えないものと認められる。
（２）本件商標と引用商標の類似について
　本件商標は、前記１に示したとおり、「ＲＩＰ　ＴＥＣＨ」の欧文字よりなるところ、これよりは、「リップテック」の称呼を生ずるというのが相当である。
　他方、引用商標よりは、いずれも、「リブテック」の称呼を生ずる。
　そこで、先ず、本件商標より生ずる称呼「リップテック」と引用商標より生ずる称呼「リブテック」とを対比するに、両者は、語頭音を含む「リ」「テ」「ッ」「ク」の各音を同じくし、その異なるところは、前者の語頭音が促音「ッ」を伴っていることと、中間音の「プ」と「ブ」の音の差異にある。
　しかるに、促音「ッ」は、前音の強音「リ」と両唇を閉鎖して発する破裂音「プ」に挟まれ、それ自体、明瞭に聴取し難い音であり、また、「プ」と「ブ」の音も調音位置及び調音方法が近接する近似音というべき半濁音と濁音の差異に止まるから、両称呼をそれぞれ一連に称呼するときは、全体の語感、語調が近似したものとなり、彼此聴き誤るおそれがあるといわなければならない。
　そして、両者は互いに造語であるから、観念において区別し得るとする事由はなく、また、たとえ、外観において差異を有するとしても、この種商品の取引場裡において、商標の外観のみにより取引にあたるとする特段の事由はなく、かつ、引用商標は、上記したとおり、商品「スノーボード」について永年に亘り使用され、取引者、需要者の間に広く認識されていたものであるから、この取引事情を併せ考慮するに、両者は、なお、その出所について、混同を生ずるおそれのある類似の商標と判断するのが相当である。
　そうとすれば、本件商標は、引用商標と商標において類似し、かつ、その指定商品である「ラケット，ラケットガット，ラケットケース，その他のテニス用具及びバドミントン用具，その他の運動用具」は、各種運動用具を包括するものであって、引用商標に係る商品「スノーボード」を包含するものであるから、結局、本件商標は、その指定商品においても引用商標と同一又は類似の商品に使用するものといわなければならない。
　そして、引用商標の周知性及び本件商標と引用商標との類似を述べる請求人の主張に対して、被請求人は何ら答弁するところがない。
　　
（３）結語
　以上のとおり、本件商標は、他人の業務に係る商品を表示するものとして需要者間に広く認識されている商標に類似し、かつ、その商品に類似する商品について使用するものといわざるを得ない。
　してみれば、本件商標は、商標法第４条第１項第１０号に違反して登録されたものというべきであるから、同法第４６条第１項の規定により、その登録は無効とすべきである。
　よって、結論のとおり審決する。